(57)【特許請求の範囲】
【請求項１】
光信号を伝送する光伝送路と、光信号を電気信号に変換し、または電気信号を光信号に変換する光素子とを光学的に接続する光モジュールであって、
光伝送路を形成する光伝送体および当該光伝送体を保持する樹脂製の保持部材を備えた上部構造体と、
配線基板上に配置され、配線基板に対して垂直方向へ着脱自在に電気的に接続される光素子搭載基板と、
配線基板上に設けられ、上部構造体が垂直方向へ着脱自在に装着され、上部構造体を装着することにより、光素子搭載基板の光素子に対して上部構造体の光伝送路が光学的に接続される板バネ状嵌合部材の装着体とを備えており、
上部構造体の保持部材は下側部材と上側部材とから構成され、下側部材は外部側の光軸と光素子側の光軸が垂直になるように光伝送体を保持する円弧状に連続した平滑な曲面を上面に有する保持部を備え、上側部材は下側部材の保持部の曲面に対応した曲面または当該曲面に断面Ｖ字状のガイド溝が円弧状に形成されている曲面を下面に有する案内部を備え、光伝送体は下側部材の保持部と上側部材の案内部で挟持され保持され、
上側部材における案内部両側の両側面部には、板バネ状嵌合部材の先端突条部に当接する肩部の長手方向の中間に、肩部の一部を貫通する窓形態の係合穴が設けられ、
下側部材における保持部両側の両側面部には、窓形態の係合穴から露出して係合し、露出部分の押圧で係合解除する係合爪が設けられる係合構造となっており、
該係合構造は、板バネ状嵌合部材の装着体による光モジュールの組立てや分解、再組立てを阻害しない様に構成されていることを特徴とする光モジュール。
【請求項２】
配線基板上に設けられる板バネ状嵌合部材の装着体は、下面に突起部が設けられ、配線基板面から離間して配置されることを特徴とする請求項１記載の光モジュール。
【発明の詳細な説明】
【技術分野】
【０００１】
本発明は、光モジュールに関するものである。
【背景技術】
【０００２】
光を情報伝送媒体とする光通信分野においては、光ファイバ等により伝送される光信号を受信または送信するため、光信号と電気信号とを相互に変換する光素子を備えた光モジュールが用いられている。電気信号から光信号への変換には、垂直共振器表面発光レーザ（Vertical cavity surface-emitting Laser：ＶＣＳＥＬ）に代表される面発光素子が用いられ、光信号から電気信号への変換には、ＰＩＮフォトダイオードに代表される面受光素子が用いられており、これらの光素子は基板に対して電気的に接続され、光ファイバ等は光素子に対して光学的に接続される。
【０００３】
このような光モジュールは、配線基板（プリント配線板あるいはボード）上において光ファイバ等の光配線をする際の作業性や、保守交換の容易性などの点から、光ファイバ等の光伝送体がコネクタを介して着脱可能であることが望ましい。
【０００４】
また、光素子に光ファイバ等を着脱する場合、配線基板に対して水平方向に着脱する構造にすると、光素子を搭載した部品の周辺に光ファイバ等を着脱する作業用のスペースを設けざるを得ないことから、そのスペースには他の部品を実装できず、実装密度を上げられないという問題がある。したがって、光ファイバ等の着脱は配線基板に対して垂直方向に行うことができることが望ましい。
【０００５】
従来、このような要求に対応するものとして、光素子をその受発光面が配線基板に対して水平になるように搭載すると共に、光ファイバ等の端面に反射ミラー等を設けて光軸を垂直に変換したコネクタを用いることで、光ファイバ等と光素子とを垂直方向へ着脱自在に光学的に接続する光モジュールが提案されている（特許文献１参照）。
【特許文献１】特開２００６−６５３５８号公報
【発明の開示】
【発明が解決しようとする課題】
【０００６】
しかし、光素子は、たとえばドライバ集積回路装置などを共に搭載した基板あるいはパッケージ等の部品全体として配線基板上に実装され、このような部品を配線基板上のパッドに対して電気的に接続する形態として一般的なものとしては、ＢＧＡ（Ball Grid Array）などのはんだボールのリフローによる接続などがあるが、このようなはんだ接続による方法では、多くの他の部品が実装されている配線基板上において光素子を搭載した部品に修理交換が必要となったときに、当該部品の交換が困難であり、あるいは交換作業が煩雑になるという問題があった。また、光ファイバ等の光軸を垂直に変換するコネクタは、光ファイバ等の形状に合わせて準備する必要があり、このために各種のコネクタを準備する必要があった。
【０００７】
このように、保守交換等の作業性および配線基板上の実装密度の確保の点から、光接続のみならず電気接続も配線基板に対して垂直に着脱できる構造が望まれている。また、コネクタ形状をできるだけ簡易なものとし、光ファイバ等を確実に保持できる構造も望まれている。さらに、実装密度の向上等の点から光モジュール自体のさらなる小型化も望まれており、これらの要求を満足する製品を低コストで製造することも望まれている。
【０００８】
本発明は、以上の通りの事情に鑑みてなされたものであり、大幅に小型化され、光接続と電気接続の両方を配線基板面に対して垂直に着脱することが可能であり、しかも簡易なコネクタ形状で光伝送体を効果的に保持することができ、低コストで製造可能な光モジュールを提供することを課題としている。
【課題を解決するための手段】
【０００９】
本発明は以下のことを特徴としている。
【００１０】
第1には、光信号を伝送する光伝送路と、光信号を電気信号に変換し、または電気信号を光信号に変換する光素子とを光学的に接続する光モジュールであって、
光伝送路を形成する光伝送体および当該光伝送体を保持する樹脂製の保持部材を備えた上部構造体と、
配線基板上に配置され、配線基板に対して垂直方向へ着脱自在に電気的に接続される光素子搭載基板と、
配線基板上に設けられ、上部構造体が垂直方向へ着脱自在に装着され、上部構造体を装着することにより、光素子搭載基板の光素子に対して上部構造体の光伝送路が光学的に接続される板バネ状嵌合部材の装着体とを備えており、
上部構造体の保持部材は下側部材と上側部材とから構成され、下側部材は外部側の光軸と光素子側の光軸が垂直になるように光伝送体を保持する円弧状に連続した平滑な曲面を上面に有する保持部を備え、上側部材は下側部材の保持部の曲面に対応した曲面または当該曲面に断面Ｖ字状のガイド溝が円弧状に形成されている曲面を下面に有する案内部を備え、光伝送体は下側部材の保持部と上側部材の案内部で挟持され保持され、
上側部材における案内部両側の両側面部には、板バネ状嵌合部材の先端突条部に当接する肩部の長手方向の中間に、肩部の一部を貫通する窓形態の係合穴が設けられ、
下側部材における保持部両側の両側面部には、窓形態の係合穴から露出して係合し、露出部分の押圧で係合解除する係合爪が設けられる係合構造となっており、
該係合構造は、板バネ状嵌合部材の装着体による光モジュールの組立てや分解、再組立てを阻害しない様に構成されていることを特徴とする。
【００１１】
第２には、配線基板上に設けられる板バネ状嵌合部材の装着体は、下面に突起部が設けられ、配線基板面から離間して配置されることを特徴とする。
【発明の効果】
【００１３】
第１から第３の発明によれば、上部構造体の光伝送路の光軸を外部側の水平方向から光素子側の垂直下向き方向に変換し、配線基板上の装着部材に対して垂直方向に着脱自在とすると共に、配線基板上に光素子搭載基板を載置する構造としており、上部構造体を装着部材に装着することにより、配線基板上に載置された光素子搭載基板に対して上部構造体が位置決めされて上部構造体の光伝送路と光素子搭載基板の光素子とが光学的に接続される。
【００１４】
したがって、光接続と電気接続の両方が配線基板面に対して垂直に着脱することができ、保守交換等の際に光学的にも電気的にも切り離しが可能であるため、保守交換等が容易であり、さらに、光素子搭載基板が配置される周囲に着脱のための作業用のスペースを設ける必要がなく、配線基板上の実装密度を上げることができると共に、高密度に部品が実装されている中で、ユーザが配線基板上に光モジュールを配置する場所の選択性、拡張性を高めることができる。しかも、上記の構造とすることで光モジュールを全体として大幅に小型化することができ、低コストで光モジュールを製造することができる。
【００１５】
さらに、上部構造体の保持部材について、下側部材は外部側の光軸と光素子側の光軸が垂直になるように光伝送体を保持する円弧状に連続した平滑な曲面を上面に有する保持部を備え、上側部材は下側部材の保持部の曲面に対応した曲面を下面に有する案内部を備えていることにより、たとえば光伝送体が上下面が平坦なテープ型光ファイバやフィルム状光導波路等である場合、下側部材の滑らかな曲面を上面に有する保持部とこれに対応する滑らかな曲面を下面に有する上側部材の案内部で光伝送体を挟み込むことで、光伝送体が円弧状に曲げられた状態で確実に保持される。
【００１６】
また、上部構造体の保持部材について、上側部材は下側部材の保持部の曲面に対応した曲面に断面Ｖ字状のガイド溝が円弧状に形成されている曲面を下面に有する案内部を備えていることにより、たとえば光伝送体が断面視で略円形状に樹脂で被覆された光ファイバである場合、上側部材の案内部に形成された断面Ｖ字状のガイド溝に光伝送体を配置した状態で下側部材の保持部と上側部材の案内部で光伝送体を挟み込むことで、光伝送体が円弧状に曲げられた状態で確実に保持される。
【００１７】
したがって、上記発明によれば、光伝送体が上部構造体の保持部材で保持された状態においては、外部側の光軸と光素子側の光軸が垂直に連続した光伝送路を形成され、しかも光伝送体と光素子搭載基板の光素子を効果的に光接続することができる。また上記発明は、光伝送体の形状に応じて光伝送体を効果的に保持することができるものであるが、上部構造体の保持部材における下側部材は光伝送体の形状にかかわらず同じ構造とすることができるので、光伝送体の形状に応じて構造の異なる下側部材の準備等は不要である。したがって、低コストで光モジュールを製造することができる。
【発明を実施するための最良の形態】
【００１８】
本明細書において、「光伝送体」には、ガラス製、樹脂製等の光ファイバ、樹脂製等の光導波路などが含まれる。「光素子」には、単一の受発光面を有するものの他、複数の受発光面がアレイ状等に配置された一体のものが含まれる。光素子の具体例としては、ＶＣＳＥＬ等の面発光素子、ＰＩＮフォトダイオード等の面受光素子が挙げられるが、これら面発光素子および面受発光素子の受発光面がアレイ状に配置された一体のものであってもよい。
【００１９】
以下、図面を参照しながら本発明の実施形態について説明する。図１および図２は、本発明の一実施形態における光モジュールを示す斜視図であり、図１は光接続および電気接続を切り離した状態、図２は光接続および電気接続をした状態を示している。
【００２０】
図１に示すように、本実施形態の光モジュール１は、光ファイバ７が保持部材６により保持された上部構造体５と、光素子４０を搭載した光素子搭載基板３０と、異方導電性シート６０と、配線基板７０（プリント配線板あるいはボード）上に固定された嵌合部材５０とを備えている。
【００２１】
この光モジュール１は、配線基板７０上の嵌合部材５０内の開口部５１に異方導電性シート６０を配置し、その上に光素子搭載基板３０を配置し、さらにその上から上部構造体５を垂直に嵌めこんで図２に示すように装着することにより、上部構造体５の光ファイバ７と光素子搭載基板３０の光素子４０が光学的に接続し、光素子搭載基板３０と配線基板７０が異方導電性シート６０を介して電気的に接続されるようになっている。図２に示す装着状態の光モジュール１は、全体として、たとえば幅１０ｍｍ×１０ｍｍ、厚さ６．４ｍｍのコンパクトなサイズのモジュールを構成している。
【００２２】
図３（ａ）は上部構造体５の上面図、図３（ｂ）は下面図、図３（ｃ）は側面図である。上部構造体５は、樹脂製の保持部材６の背面から、複数本（本実施形態では１２本）の光ファイバ７が並列したテープファイバ８が保持部材６内に水平に入り込み、保持部材６内で光ファイバ７が円弧状に曲げられて図３（ｂ）に示すように光ファイバ７の端面７ａが保持部材６の下面から垂直に露出した構造を有している。
【００２３】
保持部材６の上面における光ファイバ７と平行な両側周縁部には、当該周縁部に沿ってテーパ面を成す一対の肩部１２が設けられており、図１の嵌合部材５０内に嵌め込んで装着したときに嵌合部材５０の上部に設けられた一対の突条部５２が保持部材６の肩部１２に当接して下方に押圧するようになっている。
【００２４】
また、図３（ｂ）に示すように、保持部材６の下面における前方側には、保持部材６の両側面側の対称位置に２つの位置決め穴１１が設けられており、図１の嵌合部材５０内に嵌め込んで装着したときに、光素子搭載基板３０に立設された位置決めピン４２が保持部材６の位置決め穴１１に挿入されて上部構造体５と光素子搭載基板３０とが水平方向に位置決めされるようになっている。
【００２５】
保持部材６は、図４（ａ）および図４（ｂ）に示すように上側部材１０と下側部材２０とから構成されており、上側部材１０の案内部１０１と下側部材２０の保持部２０１によって光ファイバ等の光伝送体を挟み込み、光伝送体が円弧状に曲げられた状態で保持されるようになっている。具体的には、図４（ａ）に示すように、下側部材２０は円弧状に連続した曲面を上面に有する保持部２０１を備えており、滑らかな曲面とされている。この保持部２０１は、光伝送体の外部側の光軸と光素子側の光軸が垂直になるように保持するものである。一方、上側部材１０は、下側部材２０の円弧状の曲面に対応した曲面を下面に有する案内部１０１を備えている。この案内部１０１の曲面は下側部材２０の保持部２０１の曲面と同様に滑らかな面とされていてもよいし、断面Ｖ字状のガイド溝１４がその円弧状の曲面に沿って形成されていてもよい。図４（ｂ）は、上側部材１０の案内部１０１の曲面に、断面Ｖ字状のガイド溝１４がその円弧状の曲面に沿って複数本平行に形成されている。保持部材６で保持する光伝送体が、たとえば断面視で略円形状に樹脂で被覆されている光ファイバである場合、これらのガイド溝１４のそれぞれに光ファイバが１本ずつ配置され、ガイド溝１４に沿って光ファイバが円弧状に曲げられて案内されるようになっている。ガイド溝１４の数は保持部材６で保持される光ファイバの数に一致するように形成される。
【００２６】
図５（ａ）は、上部構造体５の要部断面図であり、断面視で略円形状に樹脂９０で被覆されている光ファイバ７が保持部材６の上側部材１０の案内部１０１と下側部材２０の保持部２０１によって挟持され保持されている状態を示している。この図５（ａ）に示すように、上側部材１０の案内部１０１の下面にはガイド溝１４がＶ字状に形成されており、下側部材２０の保持部２０１の上面は滑らかな面とされている。上側部材１０の案内部１０１の下面のガイド溝１４のそれぞれに光ファイバ７が１本ずつ配置され、下側部材２０の保持部２０１の上面が上側部材１０の案内部１０１の下面と相対するように下側部材２０が上側部材１０に装着される。このように光ファイバ７は上側部材１０の案内部１０１と下側部材２０の保持部２０１によって挟持され保持されると、光ファイバ７は図５（ａ）の図面に対して左右方向に位置ずれすることなく固定されるため、光ファイバ７と光素子搭載基板の光素子を効果的に光接続することができる。
【００２７】
図４（ｃ）は、上側部材１０の案内部１０１が下側部材２０の円弧状の曲面に対応した曲面を下面に有している例である。この案内部１０１の下面の曲面は滑らかな面とされており、断面Ｖ字状のガイド溝１４が形成されている図４（ｂ）の上側部材１０の案内部１０１の曲面とは構造が異なる。上側部材１０と下側部材２０とが装着された状態においては、上側部材１０の案内部１０１と下側部材２０の保持部２０１との間には所定の厚さの隙間が形成され、これに光伝送体が保持される。このような構造の保持部材６で保持される光伝送体は、好適には、上下面が平坦なテープ型光ファイバやフィルム状光導波路等である。図５（ｂ）および（ｃ）は上部構造体５の要部断面図であり、（ｂ）はテープ型光ファイバ８０が保持されている状態を示しており、（ｃ）はフィルム状光導波路８１が保持されている状態を示している。図５（ｂ）におけるテープ型光ファイバ８０は、断面視で略円形状に樹脂９０で被覆されている光ファイバ７が４本あり、さらにそれら４本の光ファイバ７の周囲が樹脂９１で覆われて上下面が平坦となっている。図５（ｃ）におけるフィルム状光導波路８１は、芯状のコア（導波路）８２がクラッド８３で取り囲まれて上下面が平坦となっている。いずれも場合も、下側部材２０の滑らかな曲面を上面に有する保持部２０１とこれに対応する滑らかな曲面を下面に有する上側部材１０の案内部１０１とでテープ型光ファイバ８０やフィルム状光導波路８１等の光伝送体が挟み込まれている。これにより、光伝送体が円弧状に曲げられた状態で確実に保持され、光伝送体と光素子搭載基板の光素子を効果的に光接続することができる。
【００２８】
このように光伝送体の形状に応じて保持部材６の上側部材１０の構造を選択することで光伝送体を効果的に保持することができる。一方、保持部材６の下側部材２０は光伝送体の形状にかかわらず同じ構造とすることができるので、光伝送体の形状に応じた構造の異なる下側部材２０を準備する必要がない。したがって、構造の異なる下側部材２０の製造とそのための管理等が不要になり、部品の共通化が図られ低コストで光モジュールを製造することができる。
【００２９】
上部構造体５の組み立ては、上側部材１０の両側面部に設けられた２つの係合穴１３に下側部材２０の両側面部に設けられた２つの係合爪２１を係合させることにより上側部材１０と下側部材２０を互いに固定させることができる。この際、たとえば、上側部材１０が図４（ｂ）に示したように案内部１０１に断面Ｖ字状のガイド溝１４が形成されている構造の場合、光ファイバ７を上側部材１０の案内部１０１のガイド溝１４に沿って配置し、複数の光ファイバ７の端面７ａを治具等を用いて揃えた後に、上側部材１０と下側部材２０を互いに固定させるようにしてもよい。このようにして作製された上部構造体５の上側部材１０、光ファイバ７、および下側部材２０の配置状態を図６（ａ）および図６（ｂ）に示す。
【００３０】
図６（ｂ）に示すように、保持部材６に保持された光ファイバ７は、円弧状に曲げられることにより、水平な外部側光軸６５ａから下方へ向かう光素子側光軸６５ｂへ光軸方向が変換されている。円弧部分の曲率半径Ｒは、たとえば１〜３ｍｍと小さく、上部構造体５の上下方向が低背化され、かつ、水平方向も小型化されている。
【００３１】
このように光ファイバ７の円弧部分の曲率半径Ｒを小さくするために、光ファイバ７として直径８０μｍのガラスファイバを用いている。一般的に多く用いられているガラスファイバの直径は１２５μｍであるが、このような細径のガラスファイバを用いることで、信号光の外部への漏れを抑制することができる。また、光ファイバ７の強度を確保し、位置ずれを抑制するために、ガラスファイバの外周部に厚さ２２．５μｍの樹脂被覆を設けている。
【００３２】
なお、図４（ｃ）に示したように上側部材１０の案内部１０１が滑らかな曲面である場合の上部構造体５の組み立て等の説明については、光ファイバ７を上側部材１０の案内部１０１のガイド溝１４に沿って配置するという点を除いて上記した上部構造体５の組み立て等の説明と同様であるので省略する。
【００３３】
図７は、光素子搭載基板３０の上面側斜視図である。同図に示す光素子搭載基板３０は
、外周部に沿って壁部３２が立設された箱状のセラミック基板３１を備えており、セラミック基板３１上の前方側の位置には光ファイバ７と同数の光素子４０が並んで搭載されている。これらの複数の光素子４０は、面発光素子のＶＣＳＥＬと面受光素子のＰＩＮフォトダイオードから構成されている。壁部３２の上面３２ａは光学的基準面を構成しており、上部構造体５の下面に当接することにより、光ファイバ７の端面７ａと光素子４０とが垂直方向に位置決めされる。
【００３４】
セラミック基板３１上における光素子４０の後方には、光素子４０のドライバ集積回路装置４１が搭載されており、光素子４０とドライバ集積回路装置４１はボンディングワイヤによって接続されている。その他、セラミック基板３１上には他の電子部品が搭載されていると共に、セラミック基板３１上の電子部品は、プリント配線３３等から、図示はしないが、セラミック基板３１を貫通するスルーホールを介して、セラミック基板３１の裏面に設けられたピッチ５００μｍ、直径３００〜３５０μｍ、高さ１０μｍのパッド電極に電気的に接続されている。
【００３５】
セラミック基板３１上における光素子４０の両側の位置には、突出高さ２ｍｍ、突出部分の直径０．７ｍｍの一対の位置決めピン４２が立設されており、これらの位置決めピン４２が上部構造体５の位置決め穴１３に挿入されることにより光素子搭載基板３０と上部構造体５が水平方向に位置決めされるようになっている。
【００３６】
図８（ａ）は、嵌合部材５０を上方側から見た斜視図、図８（ｂ）は下方側から見た斜視図、図９（ａ）は上面図、図９（ｂ）は下面図である。嵌合部材５０は、金属等の剛性および弾性を有する材料から形成されており、その底部には略正方形の開口部５１が設けられている。開口部５１の左右の辺は垂直に折り曲げられて上方に延び、その上端部には内方に突出した突条部５２が形成されている。
【００３７】
嵌合部材５０の側面部には、開口部５１の４辺それぞれの中央部から垂直に折り曲げられて上方に延びる側板部５３が立設されている。これらの側板部５３は、上部構造体５を装着したときに保持部材６の外周部が当接して上部構造体５の水平方向の位置を規制し、これにより、光素子搭載基板３０の位置決めピン４２が上部構造体５の位置決め穴１１に挿入されることで上部構造体５に対して位置決めされた光素子搭載基板３０を、間接的に、配線基板７０に対して水平方向に、光素子搭載基板３０の裏面電極と配線基板７０のパッドが重なる適切な精度、たとえば５０〜１００μｍ以下の精度で位置決めされる。
【００３８】
嵌合部材５０の下面には、４隅の近傍の対称位置に突起部５４が設けられており、嵌合部材５０は配線基板７０に対して突起部５４で当接して絶縁性接着剤などを用いて固定されている。これにより、嵌合部材５０の下面と配線基板７０の上面とが所定間隔、たとえば１５０μｍ程度もしくはそれ以上の間隔をおいて離間するようになっている。金属などの導電性材料で形成された嵌合部材５０を配線基板７０に対して面接触で固定した場合、電気的な反射やノイズなどにより配線基板７０上の信号伝送に影響し、それにより光モジュール１の動作性能に影響する場合があるが、突起部５４を設けて嵌合部材５０の下面と配線基板７０の上面とを離間させることにより、これらの影響を回避することができる。
【００３９】
図１の異方導電性シート６０は、加圧によって垂直方向への導通が確保されるものであり、特に制限なく各種のものを用いることができるが、たとえばシリコーンゴムなどの弾性をもつ絶縁性基材に、金属等の導電性粒子が分散されたもの、あるいは導電性の線材を埋設したものなどを用いることができる。絶縁性基材上に導電性のパッドが設けられたものを用いるようにしてもよい。異方導電性シート６０の厚さは、たとえば０．１〜１ｍｍである。
【００４０】
以上の構成を備えた光モジュール１を図１のように光接続および電気接続が切り離された状態から図２のように光接続および電気接続をした状態に組み立てる際には、まず図１の配線基板７０上に固定された嵌合部材５０の開口部５１内に異方導電性シート６０を配置する。次いでその上に光素子搭載基板３０を配置し、さらにその上から上部構造体５を嵌合部材５０に垂直に嵌め込む。
【００４１】
このとき、光素子搭載基板３０の位置決めピン４２が上部構造体５の位置決め穴１１に挿入されて、光素子搭載基板３０に対して上部構造体５が水平方向に所定の精度、たとえば３〜５μｍの精度で位置決めされると共に、保持部材６の側面が側板部５３に規制されて、光素子搭載基板３０が配線基板７０に対して間接的に水平方向に位置決めされる。配線基板７０上には、ピッチ５００μｍ、直径３００〜３５０μｍ、高さ１００μｍのはんだバンプが形成されており、これらのはんだバンプに対して、光素子搭載基板３０の下面に設けられたピッチ５００μｍ、直径３００〜３５０μｍ、高さ１０μｍの裏面電極が位置合わせされる。
【００４２】
そして、嵌合部材５０の弾性により上部構造体５は下方に押圧され、これにより異方導電性シート６０が加圧されて導通状態となる。これにより、異方導電性シート６０を介して光素子搭載基板３０の裏面電極と配線基板７０上のはんだバンプとが電気的に接続される。
【００４３】
また、光素子搭載基板３０の位置決めピン４２が上部構造体５の位置決め穴１１に挿入されることにより、図１０の断面図に示すように光ファイバ７の端面７ａと、光素子４０との水平方向の位置決めがされると共に、保持部材６の下面６ａと光素子搭載基板３０の壁部３２の上面３２ａとが当接することにより、光ファイバ７の端面７ａと、光素子４０との垂直方向の位置決めがされて、これらが光学的に接続される。
【００４４】
このようにして、光モジュール１は図２に示す状態で垂直方向へ電気的および光学的に接続され、光ファイバ７を通じて外部との間で伝送される光信号の送受信が可能な状態とされる。
【００４５】
そして、たとえば保守交換時などにおいては、上部構造体５を嵌合部材５０から垂直に抜き出すことで光接続を容易に切り離すことができ、次いで光素子搭載基板３０を異方導電性シート６０上から垂直に取り出すことで電気接続を容易に切り離すことができる。
【００４６】
以上に、実施形態に基づき本発明を説明したが、本発明は上記の実施形態に何ら限定されるものではなく、その要旨を逸脱しない範囲内において各種の変更が可能である。たとえば、上記の実施形態では、嵌合部材５０を用いて上部構造体５を垂直方向へ着脱自在に装着し、光素子搭載基板３０の光素子４０に対して上部構造体５の光伝送路を光学的に接続するようにしたが、このような機能を有する装着体として、たとえば配線基板７０に嵌合穴を設けると共に、上部構造体５にラッチ構造を設けて、上部構造体５のラッチ構造を、装着体である配線基板７０の嵌合穴に嵌合させて装着するようにしてもよい。
【図面の簡単な説明】
【００４７】
【図１】図１は、本発明の一実施形態における光モジュールを示す斜視図であり、光接続および電気接続を切り離した状態を示す。
【図２】図２は、図１の光モジュールにおける光接続および電気接続をした状態を示す斜視図である。
【図３】図３は、上部構造体を示した図であり、（ａ）は上面図、（ｂ）は下面図、（ｃ）は側面図である。
【図４】図４は、保持部材の上側部材および下側部材を示した図であり、（ａ）は上面側の斜視図、（ｂ）は下面側の斜視図であり、（ｃ）は別の実施形態である保持部材の下側部材の下面側の斜視図である。
【図５】図５は、上部構造体の要部断面図であり、（ａ）は光ファイバが保持部材で保持されている状態を示した断面図であり、（ｂ）はテープ型光ファイバが保持されている状態を示した断面図であり、（ｃ）はフィルム状光導波路が保持されている状態を示した断面図である。
【図６】図６は、上部構造体の上側部材、光ファイバ、および下側部材の配置状態を示した図であり、（ａ）は斜視図、（ｂ）は断面図である。
【図７】図７は、光素子搭載基板の斜視図である。
【図８】図８は、嵌合部材を示した図であり、（ａ）は上方側から見た斜視図、（ｂ）は下方側から見た斜視図である。
【図９】図９は、嵌合部材を示した図であり、（ａ）は上面図、（ｂ）は下面図である。
【図１０】図１０は、上部構造体と光素子搭載基板とが光接続された状態を示す断面図である。
【符号の説明】
【００４８】
１        光モジュール
５        上部構造体
６        保持部材
６ａ      下面
７        光ファイバ
７ａ      端面
８        テープファイバ
１０      上側部材
１０１  案内部
１１      位置決め穴
１２      肩部
１３      係合穴
１４      ガイド溝
２０      下側部材
２０１  保持部
２１      係合爪
３０      光素子搭載基板
３１      セラミック基板
３２      壁部
３２ａ    上面
３３      プリント配線
４０      光素子
４１      ドライバ集積回路
４２      位置決めピン
５０      嵌合部材
５１      開口部
５２      突条部
５３      側板部
５４      突起部
６０      異方導電性シート
６５ａ    外部側光軸
６５ｂ    光素子側光軸
７０      配線基板
８０      テープ型光ファイバ
８１      フィルム状光導波路
８２      コア
８３      クラッド
９０，９１  樹脂
【図１】
0005223050.tif 000002
【図２】
0005223050.tif 000003
【図３】
0005223050.tif 000004
【図４】
0005223050.tif 000005
【図５】
0005223050.tif 000006
【図６】
0005223050.tif 000007
【図７】
0005223050.tif 000008
【図８】
0005223050.tif 000009
【図９】
0005223050.tif 000010
【図１０】
0005223050.tif 000011